(57)【特許請求の範囲】
【請求項１】
被験者のスキャンに用いる画像化システムにより生成された画像データにより、トレーサ吸収を示す前記被験者の関心領域の画像を取得する段階と、
前記スキャン前に前記トレーサ吸収に影響を与える前記被験者の生理的状態を示す信号を、前記スキャン前に取得する段階と、
前記関心領域の前記トレーサ吸収の期待値を決定する段階と、
前記スキャン前に前記生理的状態に基づいてトレーサ吸収補正ファクタを決定する段階と、
前記トレーサ吸収補正ファクタに基づいて前記関心領域の前記トレーサ吸収の期待値を補正する段階と、
前記画像と、前記生理的状態を示す信号とを表示する段階と、を有する方法。
【請求項２】
前記画像中に前記生理的状態を示す信号を表示する段階をさらに有する、
請求項１に記載の方法。
【請求項３】
前記生理的状態は、心拍数、呼吸数、体温、グルコースレベルのうちの１つである、
請求項１または２に記載の方法。
【請求項４】
前記信号に基づいて補足データを生成する段階と、
前記画像とともに前記補足データを表示する段階と、をさらに有する、
請求項１ないし３いずれか一項に記載の方法。
【請求項５】
前記補足データは、ベースライン値に対する、所定閾値より大きい、前記生理的状態の値の変化を示すメッセージを含む、
請求項４に記載の方法。
【請求項６】
前記画像に前記補足データをオーバーレイする段階をさらに有する、
請求項４または５に記載の方法。
【請求項７】
前記生理的状態を示す信号に基づき、前記スキャンの計画スキャンプロトコルを適合または変更する段階をさらに有する、
請求項１ないし６いずれか一項に記載の方法。
【請求項８】
前記生理的状態を示す信号に基づいて、前記画像または画像データの補正情報を生成する段階と、
前記補正情報に基づき、前記画像または画像データを補正する段階とをさらに有する、
請求項１ないし７いずれか一項に記載の方法。
【請求項９】
前記補正は、前記画像データまたは画像に対する、前記生理的状態の予測される影響に基づく、請求項８に記載の方法。
【請求項１０】
前記スキャン前に、咳、歩行、飲み物の摂取、感情的状態、食べ物の摂取のうち少なくとも１つを含む前記被験者の行動状態を示す第２の信号を取得する段階と、
前記画像のコントラストに影響を与える、前記行動状態を示す第２の信号を前記画像と表示する段階とをさらに有する、
請求項１ないし９いずれか一項に記載の方法。
【請求項１１】
被験者の関心領域の画像と、前記スキャンに用いるトレーサの吸収に影響を与える前記被験者の生理的状態または行動状態のうち少なくとも一方を示す信号とをパッケージ化するデータパッケージャであって、前記画像は前記被験者をスキャンするのに用いる画像化システムにより生成される画像データにより生成され、前記生理的状態及び行動状態は前記被験者をスキャンする前に取得したものであるデータパッケージャと、
前記スキャン前に前記被験者の生理的状態を決定する少なくとも１つの生理的モニターを含む生理的状態監視装置とを有し、
前記生理的状態は前記画像中にコントラストを高める期待トレーサ吸収を補正するのに用いられる、
システム。
【請求項１２】
計画スキャンプロトコルと前記生理的状態及び前記行動状態とに基づいて、前記スキャンのスキャンプロトコルに対する修正、または前記スキャンの代替スキャンプロトコルを決定するプロトコル分析器を更に有する、請求項１１に記載のシステム。
【請求項１３】
計画プロトコルと前記生理的状態及び行動的状態状態とに基づいて画像または画像データの補正情報を決定し、前記補正情報に基づいて前記画像または画像データを補正するデータ補正器をさらに有する、
請求項１１または１２に記載のシステム。
【発明の詳細な説明】
【技術分野】
【０００１】
以下に説明する発明は、全体として画像化に関し、具体的には機能ＰＥＴ画像化に応用できる。しかし、機能画像化と非機能画像化を含む、その他の画像化モダリティにも適している。
【背景技術】
【０００２】
機能画像化により、新陳代謝、血流、及び吸収の変換に関する情報が得られる。しかし、被験者の生理的状態や行動状態が、得られる画像の量的情報に影響し、そのため画像の解釈に影響する。例として、Ｆ−１８−ＦＤＧ−ＰＥＴでは、患者に放射性トレーサＦＤＧ（フルオロデオキシグルコース）を患者に投与する。患者は、投与されたＦＤＧが体内に吸収され、全身に行き渡り、スキャンが終わるまで、（例えば、６０から９０分間）安静にして、食事をしない必要がある。
【０００３】
投与されたＦＤＧは、放射性の糖類を含み、脳、腎臓、及び癌細胞などのブドウ糖を消費する細胞により吸収される。吸収されたＦＤＧは放射性崩壊し、陽電子を生成する。この陽電子が陽電子消滅イベントで電子と相互作用して、５１１ｋｅＶのガンマ線対が同時に発生する。ガンマ線は反応線に沿って反対方向に進み、同時ウィンドウで検出されたガンマ線対が消滅イベントとして記録される。スキャン中に補足されたイベントを再構成して、放射性核種、すなわち人体の細胞に吸収されたＦＤＧの分布を示す画像を作成する。
【０００４】
前年ながら、患者は、トレーサ投与後、いろいろな感情に襲われる。例えば、スキャンを受けたことがない患者は不安をいだく。その結果、心拍数が高くなり、代謝が活発になる。あるいは、患者の動きにより、筋肉の代謝が活発になる。例えば、患者がせきをすると、腹筋の代謝が活発になる。患者が起きて歩くと、脚筋の代謝が活発になる。あるいは、スキャン前に患者が糖類を含む食物や飲み物を摂取する場合もある。上記は、目標関心領域におけるトレーサの吸収に影響を与える生理的状態と行動状態の非限定的な例示である。
【０００５】
上記その他の生理的状態及び／または行動状態は、人体におけるトレーサの吸収と分布に影響する可能性がある。結果として、一般的に、トレーサの吸収率が予想より大きく、関心領域以外でのトレーサ吸収量が予想より大きく、関心領域の画像コントラストが低下することがある。こうした結果として、画像に示されたトレーサ吸収に基づくその画像の解釈が困難となったり、間違ったりすることがある。
【発明の概要】
【発明が解決しようとする課題】
【０００６】
本発明の諸態様は、上記その他の事項を解決するものである。
【課題を解決するための手段】
【０００７】
一態様による方法は、被験者のスキャンに用いる画像化システムにより生成された画像データにより、前記被験者の関心領域の画像を取得する段階と、前記スキャン前に前記被験者の生理的状態を示す信号を取得する段階と、前記画像と、前記生理的状態を示すデータとを表示する段階と、を有する。
【０００８】
他の一態様によるシステムは、被験者の関心領域の画像と、前記被験者の生理的状態または行動状態のうち少なくとも一方を示すデータとをパッケージ化するデータパッケージャを有し、前記画像は前記被験者をスキャンするのに用いた画像化システムにより生成された画像データにより生成され、前記状態は前記被験者をスキャンする前に取得したものである。
【０００９】
他の一態様による方法は、被験者のスキャン前に、前記被験者の生理的状態または行動状態を示す信号を取得する段階と、前記信号に基づいて、前記スキャンの計画スキャンプロトコルを適合または変更する段階と、適合または変更したスキャンプロトコルに基づき、前記被験者をスキャンする段階とを有する。
【００１０】
他の一態様による方法は、被験者のスキャン前に、前記被験者の生理的状態または行動状態を示す信号を取得する段階と、前記信号に基づいて、前記被験者の状態におけるトレーサ吸収に対する前記状態の影響を示す補足データを生成する段階と、前記捕捉データとともに前記画像を表示する段階と、を有する。
【００１１】
他の一態様による方法は、被験者のスキャン前に、前記被験者の生理的状態または行動状態を示す信号を取得する段階と、前記被験者の状態におけるトレーサ吸収に対して、前記状態の予測される影響を補正する、前記スキャンから求めた画像または画像データの補正を前記信号に基づき生成する段階と、前記補正に基づき、前記画像または画像データを補正する段階とを有する。
【００１２】
他の一態様による方法は、プロセッサにより、トレーサ吸収補正ファクタに基づいて目標関心領域のトレーサ吸収値を補正する段階を有する。
【００１３】
他の一態様によるシステムは、処理コンポーネントと目標ＲＯＩトレーサ吸収補正器を有する。処理コンポーネントは、目標関心領域のトレーサ吸収値を決定する目標ＲＯＩトレーサ吸収決定器と、非目標関心領域の同時トレーサ吸収値を決定する非目標ＲＯＩトレーサ吸収決定器と、生理的プロセスの同時トレーサ吸収値を決定するプロセストレーサ吸収決定器と、を有する。  前記非目標関心領域の同時トレーサ吸収値、または前記生理的プロセスの同時トレーサ吸収値に基づき、前記目標関心領域のトレーサ吸収値を補正する目標ＲＯＩトレーサ吸収補正器とを有する。
【００１４】
本発明のさらに別の態様は、以下の詳細な説明を読んで理解すれば当業者には明らかになるであろう。
【００１５】
本発明は、様々なコンポーネントとその構成、及び様々なステップとその構成の形を取る。図面は好ましい実施形態を例示することのみを目的とし、本発明を限定するものと解してはならない。
【図面の簡単な説明】
【００１６】
【図１】画像化システムの一例を示す図である。
【図２】図１の画像化システムの画像化と関連する、生理的状態情報及び／または行動状態情報を用いる方法の一例を示す図である。
【図３】図１の画像化システムで取得したデータで生成した画像とともに、生理的状態情報及び／または行動状態情報を提供する方法の一例を示す図である。
【図４】図１の画像化システムで用いる画像化プロトコルを適合または変更する、生理的状態情報及び／または行動状態情報を用いる方法の一例を示す図である。
【図５】図１の画像化システムで取得した画像データ及び／または画像を補正する、生理的状態情報及び／または行動状態情報を用いる方法の一例を示す図である。
【図６】トレーサ吸収値決定器の一例を示す図である。
【図７】非目標関心領域及び／またはプロセスの同時トレーサ吸収に基づく目標関心領域のトレーサ吸収を補正する方法の一例を示す図である。
【発明を実施するための形態】
【００１７】
以下の説明は、全体として、機能的または非機能的画像化手順の前及び／または間の、その手順に関連する被験者の生理的状態及び／または行動状態を示す情報の利用に関する。詳細は以下に説明するが、この利用は、かかる情報及び／またはそれに基づく補足情報を、画像データ及び／またはそれに基づき生成された画像とともに提供する段階を含む。追加的、または代替的に、この利用は、生理的状態情報及び／または行動状態情報を利用して、画像化手順のプロトコルを適合または変更する段階を含み得る。追加的、または代替的に、この利用は、生理的状態情報及び／または行動状態情報を利用して、画像データを補正する段階を含み得る。他の実施形態では、生理的状態情報及び／または行動状態情報を代替的に用いてもよい。
【００１８】
最初に図１を参照して、システム１００はスキャナ１０２を含む。このスキャナ１０２は、陽電子放出コンピュータ断層撮影装置（ＰＥＴ）、単光子放出コンピュータ断層撮影装置（ＳＰＥＣＴ）、磁気共鳴装置（ＭＲ）、コンピュータ断層撮影装置（ＣＴ）、超音波診断装置（ＵＳ）その他のスキャナであり得る。説明を簡潔にするため、スキャナ１０２はＰＥＴスキャナであるとして説明する。
【００１９】
スキャナ１０２は、全体として環状に配置されて、長手方向に沿って、検査領域１０６の回りに配置された、ガンマ放射に感度のある検出器アレイ１０４を含む。検出器は１つ以上のシンチレーション結晶と、それに対応する光電子増倍管やフォトダイオードなどの光センサとを含む。ガンマ線が当たると結晶が光を出し、その光を光センサが受けて、それを示す信号を発生する。検出器アレイ１０４が、検査領域１０６で発生する陽電子消滅イベントのガンマ放射特性を検出する。
【００２０】
リストモードで動作するように設定されているとき、この信号を処理して、検出した消滅イベントのリストを生成する。このリストには、イベントの検出時刻、対応する反応線（line-of-response  ＬＯＲ）の位置と方向などの情報を含む。飛行時間（time-of-flight  ＴＯＦ）機能を有する構成の場合、反応線に沿った消滅位置の推定も提供する。ＰＥＴ再構成器１１０は、好適な再構成アルゴリズムを用いてデータを再構成し、スキャンした対象または被験者における崩壊の分布を示す画像データ及び／または画像を生成する。
【００２１】
支持部１０８は、検査領域１０６において画像化する人間や動物の患者などである対象または被験者を支持する。支持部１０８は、システムの動作と調和して長手方向に可動であり、対象または被験者を長手方向の複数の位置でスキャンできる。
【００２２】
コンピュータはオペレータコンソール１１２として機能し、モニタやディスプレイなどの人が読み取れる出力デバイスと、キーボードやマウスなどの１つ以上の入力デバイスとを含む。コンソール１１２のプロセッサは、ソフトウェアまたはコンピュータ読み取り可能媒体にエンコードされたコンピュータ読み取り可能命令を実行する。これにより、オペレータは、画像化プロトコルの選択及び／または変更、スキャンの開始、中断、及び終了、投影及び／または画像データの視聴及び／または操作などの機能を実行できる。
【００２３】
システム１００は、１つ以上の生理モニタ１１６を有する生理的状態モニタリング装置１１４も含む。好適な生理モニタには、心拍モニタ、血圧モニタ、呼吸モニタ、体温モニタ、湿度モニタ、血糖値モニタなどの生理モニタ、及び／または生理パラメータを示す信号を検出できる加速度計やトランスデューサなどのデバイスが含まれるが、これらに限定されない。
【００２４】
一実施例では、少なくとも１つのモニタ１１６は、患者が持ち運びできるポータブルモニタである。例えば、少なくとも１つのモニタ１１６が、リストバンド、取り外し可能な吸着パッチ、腕カフ、指カフ、耳クリップ、ベルト、衣服、患者が身につけるその他のデバイスに組み込むことができる。また、携帯電話、ページャ、（音楽、ビデオなどの）ポータブルメディアプレーヤ、その他のポータブルデバイスに組み込むこともできる。
【００２５】
かかるモニタ１１６は、トレーサ投与の適切な時間（例えば、１２時間や２４時間）だけ前に被験者に装着できる。トレーサ投与前に、及びスキャナ１０２でのスキャン中に、かかる情報を取得することができる。もう一つのモニタ１１６を、壁に取り付け、車輪のついた可動または移動可能デバイスに組み込み、またはテーブルなどの表面に置くこともできる。モニタ１１６は、ケーブル及び／または（ＩＲ、ＲＦ、光などの）ワイヤレスメディアを介して、データ通信を行う、通信用ポートなどを含む。
【００２６】
システム１００は、任意的に、１つ以上の行動モニタ１２０を有する行動状態モニタリング装置１１８を含む。かかるモニタは、カメラ、ビデオレコーダ、マイクロホン、動き検知器など、行動を示す信号を検出できるその他の行動モニタやデバイスを含むが、これらに限定されない。一般的に、カメラやビデオレコーダなどは、壁、天井、三脚などに取り付けるか、何かの面上に置く。マイクロホンは、生理的モニタのように被験者の身体に取り付けてもよいし、被験者の近くに配置してもよい。動き検出器も、被験者の身体に取り付けるものであってもなくてもよい。
【００２７】
モニタリング装置１１４、１１８は、クロック、タイマなども含む。そのため、モニタリング装置１１４で取得した情報にはタイムスタンプを付すことができる。
【００２８】
データパッケージャ１２２は、生理的状態モニタリング装置１１４及び／または行動状態モニタリング装置１１８からの情報に基づき、スキャナ１０２により生成された画像データまたは画像を、さまざまなパッケージにする。例えば、一例では、データパッケージャ１２２は、１つ以上の画像に対して、装置１１４及び／または１１８から、心拍数、ＥＣＧ信号、呼吸数、体温などの情報を、スーパーインポーズ、オーバーレイ、注釈、あるいは合成する。
【００２９】
付加的または代替的に、データパッケージャ１２２は、これらの情報を含むメッセージやレポートを生成する。メッセージやレポートは、画像データや画像にリンクされ、または関連付けられた、別のファイルに含めても、（ＤＩＣＯＭ（Digital  Imaging  and  Communications  in  Medicine）その他の電子送信フォーマットなどの）電子データパック中のフィールドに含めてもよい。追加的、または代替的に、データパッケージャ１２２は、画像データ及び／または画像の少なくとも一部、及びモニタされた情報やメッセージの少なくとも一部を含む、新しいデータを生成する。
【００３０】
追加的、または代替的に、データパッケージャ１２２は、画像データや画像とともに、補足データをパッケージ化する。補足情報識別器１２４は、生理的状態モニタリング装置１１４及び／または行動状態モニタリング装置１１８からの情報に基づき、好適な補足データを識別して提供する。補足情報バンク１２６が補足データを格納する。装置１１４、１１８からの情報に基づいて、補足情報識別器１２４は、補足情報バンク１２６中のメッセージを識別、取得できる。ここで、メッセージは、例えば、「トレーサ吸収期間中、被験者の心拍数が高かった」、「トレーサ投与後、被験者は頻繁に動き回った」、「トレーサ投与前に被験者は糖分を摂取した」などのメッセージである。
【００３１】
補足情報バンク１２６は、装置１１４、１１８からの情報やその情報から導き出した情報を、１つ以上のメッセージに変換（map）する１つ以上のルックアップテーブルや規則などを含んでいてもよい。ルックアップテーブルは、現在の被験者に関する履歴データに基づき、及び／または同様のトレーサを投与され、同様の画像化プロトコルでスキャンされた、性別、年齢、体重、身長、人種などが同様の、同様の病歴を有する他の被験者に関する履歴データに基づき、人が作成しても、または（機械学習などにより）自動的または半自動的に作成してもよい。他の例では、装置１１４、１１８からの情報に基づいて、かかる情報を求めるコンピュータ実行可能ロジックを設けてもよい。
【００３２】
画像データ及び／または画像とパッケージ化、及び／または画像データ及び／または画像と共に利用できるその他の情報には、被験者により提供される情報、及び／または観察された情報が含まれる。例えば、被験者に、感情、生理的状態、行動などに関する様々な質問をして、それから得られた情報を、画像データ及び／または画像とともにパッケージ化、及び／または利用できる。他の一例では、かかる情報は臨床医、家族、及び／または被験者を観察したその他の人により提供されてもよい。また、画像データ及び／または画像とともに、患者の準備と画像化手順に関する情報をパッケージ化してもよい。あるいは、画像データ及び／または画像とは別に、かかる情報を提供する。
【００３３】
出力デバイス１２８は、パッケージ化したデータを提示及び／または転送する。一例では、出力デバイス１２８はコンピュータディスプレイを含み、パッケージ化されたデータはディスプレイ上に視覚的に提示される。他の一例では、出力デバイス１２８は、フィルム化器（filmer）、プリンタなどを含む。さらに他の一例では、出力デバイス１２８は、ケーブルで、または無線で、ネットワークやバスなどによりパッケージ化されたデータを送るデータ通信ポートを含む。さらに他の一例では、出力デバイス１２８は、ポータルメモリ、及び／またはポータルメモリに書き込めるデバイスを含む。
【００３４】
プロトコル分析器１３０は、計画された画像化プロトコルと、装置１１４、１１８からの情報を分析する。かかる分析は、装置１１４、１１８からの情報が画像データまたは画像中の情報に影響するかどうか、及び／または以下に影響するかを、選択されたプロトコルに基づいて予測するステップを含み得る。プロトコル分析器１３０は、これに応じて、プロトコルを好適に適合させる変更を特定し、示唆する。例えば、プロトコル分析器１３０は、装置１１４、１１８からの情報に基づき、スキャンを時間Ｔだけ遅らせる、またはスキャン時間を延長することをオペレータが検討すべきである旨の通知を、コンソール１１２に送る。
【００３５】
他の一例では、この通知には、追加的または代替的に、代替プロトコルを含んでいてもよい。かかるプロトコルは、パターンマッチング、推論、機械学習などにより決定できる。さらに他の一例では、この通知には、スキャンのキャンセルや計画した手順の見直しをオペレータが検討すべき旨のものであってもよい。かかる情報は、コンソール１１２などによりユーザに提示される。一例では、コンソール１１２の入力デバイスによる、変更や代替プロトコルの選択、またはスキャンの停止により、ユーザはプロトコルを変更できる。かかるインターラクション（interaction）は、グラフィカルユーザインタフェース（ＧＵＩ）、コマンドラインインタフェース、その他のインタフェースで行うことができる。
【００３６】
データ補正器１３２は、装置１１４、１１８からの情報を利用して、画像データ及び／または画像を補正する。この補正は、補正アルゴリズムバンク１３４に含まれるアルゴリズムなどの、所定アルゴリズムに基づき得る。かかるアルゴリズムは、履歴データと、生理的及び／または行動データ間の相関と、画像データや画像にある情報に基づくものであってもよい。かかるデータは、スキャンされる被験者に関する情報、及び／または同様のトレーサを投与され、同様の画像化プロトコルでスキャンされ、性別、体重、身長、人種など同様の生物学的特徴を有し、同様の病歴を有するその他の被験者に関する情報のプールに基づき生成できる。他の一例では、装置１１４、１１８からの情報に基づいて、かかる情報を求めるコンピュータ実行可能ロジックを設けてもよい。これはシミュレーションなどにより行うこともできる。試行前情報を使うこともできる。
【００３７】
上記の非限定的例の場合、画像化手順前及びまたは画像化手順中に、被験者の生理的及び／または行動パラメータを示すフィードバックや情報を用いて、手順の実行を容易にすることができる。これには、画像解釈の容易化、画像化手順プロトコルの適合や変更、画像データや画像の補整の容易化が含まれる。
【００３８】
言うまでもなく、他の一実施形態では、データパッケージャ１２２とそれに対応するコンポーネント１２４、１２６、プロトコル分析器１３０、及び／またはデータ補正器１３２と補整アルゴリズム１３４のうち、１つまたは２つは省略することができる。
【００３９】
また、データパッケージャ１２２、補助的データコンポーネント１２４、１２６、プロトコル分析器１３０、データ補正器１３２、及び／または補正アルゴリズム１３４は、スキャナ１０２とは別に、例えば、同じ検査室または異なる検査室の別のシステムの一部として配置されてもよい。あるいは、例えば、コンソール１１２と接続されたソフトウェア及び／またはハードウェアにより実装され、スキャナ１０２の一部であってもよい。
【００４０】
システム１００は、目標関心領域のトレーサ吸収値を決定するトレーサ吸収値決定器１３６も含む。以下に詳しく説明するように、一例では、トレーサ吸収値決定器１３６は、非組織及び／またはプロセスによる同時トレーサ吸収に基づき、目標関心領域のトレーサ吸収値を補正する。この同時トレーサ吸収は、画像化データ及び／または非画像化データに基づき決定できる。
【００４１】
図２は、機能PET画像化手順に関連してシステム１００を用いる方法を示す図である。上記の通り、システム１００は、代替的に、異なる画像化モダリティに基づくスキャナを含み、非機能的画像化に利用することもできる。
【００４２】
ステップ２０２において、被験者の機能的ＰＥＴ画像化手順を計画する。
【００４３】
ステップ２０４において、その被験者に好適なモニタを特定する。ここで説明するように、モニタは、スキャンの前後で、被験者の生理的パラメータと行動を決定するように構成されていてもよい。
ステップ２０６において、検査の所定時間前に、被験者をモニタするため、特定または選択したモニタを、例えば、被験者が身につけているオブジェクトにより被験者に取り付け、または、被験者の近くに配置する。
【００４４】
ステップ２０８において、トレーサ投与前の生理的及び／または行動状態を取得する。この情報は、ベースライン情報または基準情報として用いることができる。定期的な健康診断などで取得した履歴情報をベースライン情報または基準情報として用いることもできる。
【００４５】
ステップ２１０において、トレーサを投与する。この例では、トレーサはＦＤＧである。その他の好適なＰＥＴトレーサとしては、ＦＬＴ（fluoro  thymidine）、ＦＥＴ（fluoroethyltyrosine）、ＦＭＩＳＯ（fluoromisonidazole）、Ｏ１５−Ｈ２０、ＦＡＺＡ（fluoroazomycinarabinofuranoside）などがあるが、これらに限定されない。他の画像化モダリティを用いる場合、そのモダリティに適したトレーサを投与する。
【００４６】
ステップ２１２において、スキャンへの備え方について被験者に指示する。これには、被験者に、避けなければならない動き、や、食事及び／または飲み物に関する制限などを知らせる段階を含む。
【００４７】
ステップ２１４において、モニタを用いて、トレーサ投与後の生理的及び／または行動状態を取得する。
【００４８】
ステップ２１６において、前後の生理的状態及び／または行動状態を用いて、可能性のある画像化プロトコルの適合及び／またはもしあれば代替案を特定する。これは、以下に図４を参照して、より詳しく説明する。このステップは省略してもよい。
【００４９】
ステップ２１８において、被験者をスキャンして、画像データ及び／または画像を生成する。
【００５０】
ステップ２２０において、生理的状態及び／または行動状態を利用して、スキャンデータやそれから得られた画像データ及び／または画像を補正する。これは、以下に図５を参照して、より詳しく説明する。このステップは省略してもよい。
【００５１】
ステップ２２２において、生理的状態及び／または行動状態、それから求めた情報、被験者の行動を観察して得た情報、被験者からの質問に対する回答などを、レビューのため、画像データ及び／または画像とともに提供する。これは、以下に図３を参照して、より詳しく説明する。
【００５２】
図３は、画像データ及び／または画像とともに情報を提供する方法を示す図である。
【００５３】
ステップ３０２において、画像データ及び／または画像を取得する。かかる情報は、スキャナ１０２やデータリポジトリなどから得られる。
【００５４】
ステップ３０４において、生理的状態及び／または行動状態の情報を取得する。かかる情報は、生理的状態装置１１４、行動状態装置１１８、データリポジトリなどから得られる。
【００５５】
ステップ３０６において、画像データ及び／または画像と、生理的状態及び／または行動状態の情報とを共に提示するか決定する。
【００５６】
共に提示する場合、ステップ３０８において、生理的状態及び／または行動状態の情報と、画像データ及び／または画像を合成する。これは、データをスーパーインポーズ、オーバーレイ、注釈することにより行える。例えば、元の画像と、トレーサ投与前すなわちベースラインＥＣＧ信号または心拍数値と、トレーサ投与後のＥＣＧ信号または心拍数値を含む画像を生成してもよい。画像を解釈する臨床医は、その画像を解釈するときに、トレーサ投与前後のＥＣＧ信号または心拍数値を用いるかも知れない。
【００５７】
ステップ３１０において、生理的状態及び／または行動状態の情報に基づいて補足データを生成すべきか決定する。生成すべきでないと決定した場合、補足情報は生成されない。
【００５８】
生成すべきと決定した場合、ステップ３１２において、生理的状態及び／または行動状態の情報に基づいて補足データを生成する。ここで説明するように、これには、画像データ及び／または画像とともに提供または表示する好適なメッセージを特定または求めることを含み得る。例えば、被験者がトレーサ投与後に歩き回っていたことが観察された場合、そのメッセージは「被験者はトレーサ投与後歩き回っていた」というものになる。
【００５９】
ステップ３１４において、メッセージを、画像データ及び／または画像とともに提供される。これには、このメッセージを含む別のファイルを提供すること、及び／またはこのメッセージを画像データ及び／または画像と合成することを含む。
【００６０】
ステップ３０６において、画像データ及び／または画像と、生理的状態及び／または行動状態の情報とを合成しないと決定した場合、ステップ３１２と３１４を実行する。
【００６１】
図４は、モニタした生理的状態及び／または行動状態を用いて、画像化プロトコルを適合または変更する方法を示す。
【００６２】
ステップ４０２において、計画された画像化プロトコルを取得する。かかる情報は、コンソール１１２などにより提供できる。
【００６３】
ステップ４０４において、生理的状態及び／または行動状態の情報を取得する。かかる情報は、生理的状態装置１１４、行動状態装置１１８、データリポジトリなどから得られる。
【００６４】
ステップ４０６において、計画された画像化プロトコルを考慮しつつ、生理的状態及び／または行動状態の情報を分析する。
【００６５】
ステップ４０８において、プロトコルの適合、及び／または１つ以上の代替的プロトコルを特定する。上記の通り、これには、スキャンまでの時間を延ばすことや、スキャン時間を延ばすことが含まれ得る。
【００６６】
ステップ４１０において、特定したプロトコルの適合、及び／または１つ以上の代替的プロトコルを、使用／選択のために提示する。
【００６７】
ステップ４１２において、提示した適合または代替案が選択されたか決定する。
【００６８】
選択された場合、ステップ４１４において、その適合または代替案に基づいてスキャンを行う。
【００６９】
選択されない場合、ステップ４１６において、計画したプロトコルを使用する。
【００７０】
図５は、モニタした生理的状態及び／または行動状態を用いて、画像データ及び／または画像を補正する方法を示す。
【００７１】
ステップ５０２において、画像データ及び／または画像を取得する。かかる情報は、スキャナ１０２やデータリポジトリなどから得られる。
【００７２】
ステップ５０４において、生理的状態及び／または行動状態の情報を取得する。かかる情報は、生理的状態装置１１４、行動状態装置１１８、データリポジトリなどから得られる。
【００７３】
ステップ５０６において、生理的状態及び／または行動状態の情報を分析する。
【００７４】
ステップ５０８において、状態情報の分析に基づいて予期した効果を特定する。ここで説明するように、これは履歴データ、シミュレーションデータ、試行前データ、その他のデータに基づき行い得る。
【００７５】
ステップ５１０において、予期した効果に基づく補正を取得する。ここに説明するように、補正は所定のアルゴリズム、及び／または機械学習その他の方法を用いて求めたアルゴリズムに基づく。
【００７６】
ステップ５１２において、画像データ及び／または画像を補正する。
【００７７】
図６は、トレーサ吸収値決定器１３６の一例を示す図である。セグメンタ６０２は、画像データ（ＰＥＴ、ＳＰＥＣＴ、ＭＲＩ、ＣＴ、ＵＳ、及び／または画像化データなど）の１つ以上の関心領域（ＲＯＩ）へのセグメント化を行う。画像化データがマルチモダリティ情報を含む場合、画像化をレジスタ（register）するか、相関させる。１つ以上のＲＯＩは、脳、肝臓、腎臓、肺、膀胱などの人体構造上の組織の全体または一部を表す。
【００７８】
一実施形態では、ユーザは、コンソールのグラフィカルユーザインタフェースやディスプレイに表示されたウェブアプリケーションなどのインタフェースにより、セグメンタ６０２とインターラクトする。この実施形態では、ユーザは、目標組織及び／またはその他の関心組織を含むがこれには限定されない、１つ以上の関心領域を特定する入力を与える。入力はマウス、ポインタ、キーボード、その他のデバイスにより与えられる。
【００７９】
一例では、入力は関心領域の周囲を特定する。さらに他の一例では、入力がその周囲の一部を特定し、セグメンタ６０２がその周囲の残り部分を決定する。さらに別の一例では、入力が関心組織（例えば、脳）を特定し、セグメンタ６０２がその特定された関心組織に対応する画像データ中の関心領域を特定する。そのような好適なアルゴリズムとしては、メッシュアルゴリズム、グローイング（growing）アルゴリズム、その他がある。
【００８０】
セグメンタ６０２が自動的にＲＯＩを特定する場合、入力は、関心組織（tissue  of  interest）を特定するしるし（indicia）と、自動的に決定されたＲＯＩを確認および拒絶する確認情報とを含み得る。また、言うまでもなく、ユーザはセグメンタ６０２が画定した関心領域を、サイズを大きくしたり小さくしたり、形状を変更したりして、修正できる。
【００８１】
処理コンポーネント６０４は、目標ＲＯＩトレーサ吸収決定器６０６、非目標ＲＯＩトレーサ吸収決定器６０６１０、及び生理的プロセストレーサ吸収決定器６１２を含む。これらのコンポーネントは、画像化データ及び／または非画像化データに基づき、トレーサ吸収値を決定できる。画像化データは、セグメンタ６０２からのセグメント化された、または部分的にセグメント化されたデータ、及び／またはデータリポジトリからの画像化データを含み得る。非画像化データは、実験データ、身体状態、身体活動、生命徴候、その他の情報を含み、これらはデータリポジトリまたはその他のデバイスから取得、または臨床医が入力できる。
【００８２】
非限定的な例として、画像保管通信システム（ＰＡＣＳ）からの画像化データを、（医用におけるデジタル画像と通信（ＤＩＣＯＭ）その他のフォーマットにより）処理コンポーネント６０４に転送して、トレーサ吸収値を決定することができる。他の一例では、ラボラトリ情報システム（ＬＩＳ）からの非画像化データ（例えば、血液成分やグルコースレベルなど）、及び／またはその他の非画像化データ（例えば、生命徴候、患者の活動など）を取得して、処理コンポーネント６０４で利用できる。その他の有用なデータリポジトリには、放射線医学情報システム（ＲＩＳ）、病院情報システム（ＨＩＳ）などがあるが、これらに限定されない。
【００８３】
他の好適な非画像化情報には生物学的マーカがある。例えば、画像化（imaging  studies）前にアルコールやカロリーの高い食事をしたことなどの食物に関する情報は、肝機能を表すＧＰＴ（Glutamic-Pyruvic  Transaminase）、ＧＯＴ（Glutamic-Oxaloacetic  Transaminase）、γＧＴ（ＧＧＴ、Gamma-GT）、腎臓機能を表すクレアチニン（creatinine）、インシュリン、グルコース、血中アルコールなどの生物学的マーカに表れる。トレーサによっては、別のマーカも関係してくる。例えば、ＦＭＩＳＯ、低酸素トレーサ（hypoxia  tracer）の場合、動脈血酸素飽和度がマーカとなる。ＨＥＤ、弱体化トレーサ（enervation  tracer）の場合、処方状態（drug  status）（β遮断薬）がマーカである。
【００８４】
目標ＲＯＩトレーサ吸収決定器６０６は、少なくとも、特定した目標組織に対応するセグメント化した画像化データに基づいて、その目標組織のトレーサ吸収値を決定する。画像化データにおいて関心領域の一部のみをキャプチャする場合、その関心領域のトレーサ吸収値の決定は、モデルによりその関心領域の体積を推定すること、および推定した体積に、画像部分のトレーサ吸収値を外挿することにより行うことができる。このようなモデルはモデルバンク６０８に格納されている。
【００８５】
非目標ＲＯＩトレーサ吸収決定器６１０は、目標組織以外の組織に対応するセグメント化関心領域のトレーサ吸収値を決定する。これらの領域は、追加的または代替的にその他の領域を含むかも知れないが、トレーサ吸収が比較的大きい領域、及び／または体積が大きい領域を含み得る。上記と同様に、画像化データが組織の一部のみを表している場合、モデルやその他のアルゴリズムを利用して、関心領域の体積を推定し、その部分と推定した体積に対する徒レーザ吸収値に基づいてトレーサ吸収を決定できる。
【００８６】
トレーサを消費する筋肉などの組織では、一般的には、人体中のその組織全体をスキャンすることはない。かかる場合、モデルバンク６０８に格納された人口平均モデルから、ルックアップテーブル（ＬＵＴ）及び／または数学的関数により、筋肉の体積を推定してもよい。このため、体重、サイズ、身長、幅、回旋（circumflex）などの患者情報を評価して、筋肉の体積の推定に用いることができる。トレーサ吸収は人体の部分によって異なるので、トレーサ吸収の決定に用いる様々なファクタは重み付けしてもよい。
【００８７】
他の一例では、筋肉の所定数の部分領域（sub-regions）のトレーサ吸収値を決定できる。筋肉の他の部分領域のトレーサ吸収値を、このデータから決定して、足し合わせ、筋肉のトレーサ吸収値を生成する。他の一例では、筋肉のトレーサ吸収値は、所定の部分領域（sub-regions）のトレーサ吸収値を外挿して決定できる。さらに他の一例では、部分領域のトレーサ吸収値から平均値を決定し、その平均値を筋肉のトレーサ吸収値として用いること、またはその平均値を用いて筋肉のトレーサ吸収値を決定することができる。再び、人体の部分により吸収が異なることを考慮するため、データを重み付けしてもよい。
【００８８】
生理的プロセストレーサ吸収決定器６１２は、生理的プロセスのトレーサ吸収値を決定する。かかるシステムの例は排尿である。かかるプロセスの場合、画像化プロトコルにおいて、画質を劣化させる膀胱へのトレーサの蓄積を考慮できる。例えば、一例では、プロトコルとして、被験者にスキャン前に排尿させてもよい。排尿により失われるトレーサ量を推定するため、尿の容量及び／または重量を測定または推定する。一例では、これは、被験者に容器内に排尿させ、その容器の重さを測定することを含む。他の一例では、排尿前後の被験者の体重を測り、排尿量を決定する。いずれの場合にも、セグメント化された膀胱の平均活動から、排尿した尿の活動を推定する。
【００８９】
トレーサ吸収補正器６１４は、目標ＲＯＩトレーサ吸収決定器６０６が生成したトレーサ吸収値を補正する。例示した実施形態では、トレーサ吸収補正器６１４は、このトレーサ吸収値を、他の組織及び／またはプロセスの同時トレーサ吸収値などの補正ファクタに基づき補正する。同時トレーサ吸収は、非目標ＲＯＩトレーサ吸収決定器６１０及び／またはプロセストレーサ吸収決定器６１２により決定できる。一般的に、同時トレーサ吸収は、目標組織において吸収できるトレーサ量を減らす非目標組織及び／またはプロセスによるトレーサ吸収を指す。
【００９０】
一例では、トレーサ吸収補正器６１４は、目標ＲＯＩトレーサ吸収値から、非目標セグメント化組織やプロセスなどの個々の同時トレーサ吸収値（またはその和）を差し引くことなどにより、数学的関数によりトレーサ吸収値を補正する。この減算は重み付けしてもしなくてもよい。この補正は、目標トレーサ吸収値、他の組織及び／またはプロセスの同時トレーサ吸収値、注入したトレーサの活動、関連するマーカのレベル、その他の情報に基づいて、トレーサ吸収値を規格化するステップを含み得る。
【００９１】
記憶コンポーネント６１６は、コンピュータ読み取り可能記憶部を含み、これはトレーサ吸収値及び／または補正したトレーサ吸収値を格納できる。記憶コンポーネント６１６には、ローカル及び／またはリモートの、非ポータブル及び／またはポータブルのメモリが含まれ得る。プレゼンテーションコンポーネント６１８は、トレーサ吸収値及び／または補正したトレーサ吸収値を提示し、及び／またはそれに対応する画像化データ及び／または非画像化データを提示する。かかる情報は、測定した及び／または補正したトレーサ吸収値を示す、テーブル、グラフ、グラフィックスなどの形式で、さまざまに提示できる。情報は紙やその他の有体媒体に印刷することもできる。
【００９２】
言うまでもなく、トレーサ吸収決定器１３６（及びそのコンポーネント）は、コンピュータ読み取り可能記憶媒体に格納されたコンピュータ読み取り可能命令を実行する、コンピュータプロセッサにより実施してもよい。図１に示したように、一例では、トレーサ吸収決定器１３６は、スキャナ１０２とは離れた、通信可能な計算装置により実施する。他の一例では、トレーサ吸収決定器１３６は、スキャナ１０２のコンソール１１２により実施する。
【００９３】
図７は、目標関心領域のトレーサ吸収値を補正する方法を示す。
【００９４】
ステップ７０２において、患者にトレーサを投与する。
【００９５】
ステップ７０４において、灌流スキャンを実行する。灌流スキャンによりトレーサの吸収と放出（wash  out）をキャプチャする。
【００９６】
ステップ７０６において、スキャンにより求めた画像化データを処理して、目標関心領域のトレーサ吸収値を決定する。トレーサ吸収値の決定のため、モデル及び／または非画像化データを用いることもできる。
【００９７】
ステップ７０８において、目標関心領域のトレーサ吸収値の補正ファクタ（factor）を生成する。ここに説明するように、一例では、
これは、画像化データ及び／または非画像化データを処理して、非目標関心領域及び／またはプロセスの同時トレーサ吸収値を決定するステップを含む。
一般的に、同時トレーサ吸収は、目標組織において吸収できるトレーサ量を減らす非目標組織及び／またはプロセスによるトレーサ吸収を指す。モデルを用いてトレーサ吸収値を決定してもよい。
【００９８】
ステップ７１０において、関心領域のトレーサ吸収値を、補正ファクタに基づいて補正する。ここに記したように、これは、関心領域のトレーサ吸収値から、同時トレーサ吸収値を差し引くステップ、及び／またはデータを処理して規格化するステップを含み得る。
【００９９】
上記は、コンピュータプロセッサで実行されると、そのプロセッサに上記の技術（techniques）を実行させるコンピュータ読み取り可能命令により実施できる。かかる場合、この命令を、コンピュータに付随する、またはアクセスできるコンピュータ読み取り可能記憶媒体に格納できる。
【０１００】
言うまでもなく、一実施形態では、トレーサ吸収値決定器１３６を図１の構成から取り除くことができる。他の実施形態では、コンポーネント１１４−１１８を図１の構成から取り除くことができる。
【０１０１】
本発明を様々な実施形態を参照して説明した。詳細な説明を読めば、修正案や代替案に想到するかも知れない。本発明は、添付した請求項とその均等の範囲内に入るこのような修正案及び代替案をすべて含むものと解釈しなければならない。
【図１】
0005782020.tif 000002
【図２】
0005782020.tif 000003
【図３】
0005782020.tif 000004
【図４】
0005782020.tif 000005
【図５】
0005782020.tif 000006
【図６】
0005782020.tif 000007
【図７】
0005782020.tif 000008